(57)【特許請求の範囲】
【請求項１】
本体前壁の上縁にフロントキャップが装着されるオープンショーケースにおいて、
板金からなる前記フロントキャップの背面側に断面Ｃ字状の溝を一体形成し、この溝にフロントポップレールを嵌め込み支持するとともに、前記溝の上縁にナイトカバーを引っ掛けるようにしてなり、
前記フロントポップレールは、ポップ掛け下げ用のワイヤを支持する支柱と、折り曲げ線材からなり前記支柱を前記溝内で支持する取付脚とを備え、この取付脚のスプリングアクションにより前記フロントポップレールを前記溝に着脱可能に嵌め込み支持してなることを特徴とするオープンショーケース。
【発明の詳細な説明】
【０００１】
【発明の属する技術分野】
この発明は、商品を冷蔵陳列するオープンショーケースに関し、特にナイトカバーの掛け止め手段及びフロントポップレールの支持手段に関する。
【０００２】
【従来の技術】
図４はオープンショーケースの一般構成を示す概略縦断面図である。図４において、断熱壁からなる前面が開口した本体１内に商品陳列室２が区画され、この商品陳列室２に多段に設置された商品棚３に図示しない商品が陳列されている。本体１の内側には商品陳列室２を囲むように通風路４が設けられ、この通風路４に冷却器５及び通風ファン６が配置されている。商品陳列室２は、冷却器５を通して通風ファン６により、通風路４及び本体１の前面開口を矢印の向きに循環する冷気により冷却される。ここで、本体１における前壁１ａの上縁にはフロントキャップ７が装着されている。一方、閉店時などには、省エネのために前面開口にナイトカバー８が下ろされる。
【０００３】
図５は、図４のＰ部の拡大図である。フロントキャップ７はステンレス鋼鈑からロール成形により図示断面の長尺に形成され、本体前壁１ａに結合された鋼鈑からなるフロントキャップ固定金具９に前縁が掛けられ、背縁がねじ止めされて本体前壁１ａの上縁に装着されている。フロントキャップ７はオープンショーケース前面の体裁を整えるとともに手摺りの役目をし、また買物カートや商品搬入カートなどのカート１０がショーケース前面に衝突した際のクッションとしての機能を有している。
【０００４】
ところで、オープンショーケース前面には、商品の名称や価格を表示するタグ（ポップと称される。）が掛けられ、そのための掛け下げレール（フロントポップレール）がフロントキャップ７の近くに取り付けられる。図６は上記したフロントポップレールの従来の取り付け構成を示す縦断面図である。図６において、フロントポップレール１１は、左右一対の逆台形状のベース１２、ベース１２から一体に切り起こされた支柱１３及び支柱間に渡るように接合された上下２本のワイヤ１４からなり、ベース１２を介してフロントキャップ７の頭部に弾性的に嵌め込まれている。図示しないポップは、ワイヤ１４に掛け下げられる。
【０００５】
一方、図７は、ナイトカバー８の従来の掛け止め構成を示すものである。ナイトカバー８は、普段はオープンショーケースの前面上部にロール状に巻き上げられており、使用時には引き下ろされてその先端の把手１５がナイトカバー引掛け金具１６に掛けられる。引掛け金具１６は、フロントキャップ７の背部にねじ１７により締め付けられている。
【０００６】
【発明が解決しようとする課題】
図６において、従来はフロントポップレール１１の着脱時にステンレス鋼鈑からなるベース１２がフロントキャップ７と擦れ、フロントキャップ７に擦れ傷が生じて見栄えが悪くなるという問題があった。また、図７において、従来はナイトカバー８の掛け止めに別部品の引掛け金具１６を必要とし、その製作や取付に手間とコストがかかるという問題があった。そこで、この発明の課題は、フロントキャップの見栄えを損うことなくフロントポップレールの着脱ができるようにするとともに、別部品のナイトカバー引掛け金具を不要にすることにある。
【０００７】
【課題を解決するための手段】
上記課題を解決するために、この発明は、本体前壁の上縁にフロントキャップが装着されるオープンショーケースにおいて、板金からなる前記フロントキャップの背面側に断面Ｃ字状の溝を一体形成し、この溝にフロントポップレールを嵌め込み支持するとともに、前記溝の上縁にナイトカバーを引っ掛けるようにしてなり、前記フロントポップレールは、ポップ掛け下げ用のワイヤを支持する支柱と、折り曲げ線材からなり前記支柱を前記溝内で支持する取付脚とを備え、この取付脚のスプリングアクションにより前記フロントポップレールを前記溝に着脱可能に嵌め込み支持してなるものとする（請求項１）。
【０００８】
前記請求項１によれば、フロントポップレール支持溝はフロントキャップの背面側にあるため、仮に傷が生じてもフロントキャップの見栄えに関係しない。また、ナイトカバーの引掛け部は溝の上縁に形成されるので、別部品のナイトカバー引掛け金具が不要であり、またこの引掛け部は溝と同時に成形されるので形成が容易である。
さらに、線材の取付脚は変形が容易であり、そのスプリングアクションによりフロントポップレールを溝に嵌め込むことにより、フロントポップレールの着脱作業が容易になるとともに、フロントキャップの傷付きも少なくなる。
【０００９】
【発明の実施の形態】
以下、図１〜図３に基づいて、この発明の実施の形態を説明する。なお、従来例と対応する部分には同一の符号を用いるものとする。図１は、フロントキャップの装着状態を示す縦断面図である。図１において、ステンレス鋼鈑からなるフロントキャップ７は、ロール成形により図示断面形状に成形され、その際、背面側には、上部の逆Ｕ曲げ部７ａ、下部のＶ曲げ部７ｂ及びその間を結ぶ直線部により断面Ｃ字状の溝１８が一体形成されている。このフロントキャップ７は、従来と同様に前縁がフロントキャップ固定金具９に掛けられ、背縁がねじ１７により本体前壁１ａに締め付けられている。ここで、溝１８のくちばし状の上縁７ｃはナイトカバー８の引掛け部を兼ね、この上縁７ｃには図示の通りナイトカバー８の把手１５が掛けられる。
【００１０】
一方、溝１８には、フロントポップレール１１が嵌め込み支持される。図２及び図３はフロントポップレール１１を示し、図２（Ａ）は支持部分の背面図、図２（Ｂ）はその側面図、図３は全体の背面図である。図２において、フロントポップレール１１の支持部分は、支柱１９と取付脚２０とからなっている。支柱１９は短冊形のステンレス鋼鈑からなり、図２（Ｂ）に示すように、下半部はフロントキャップ７の逆Ｕ曲げ部７ａ及びその上方の湾曲部７ｄに沿うように屈曲され、上半部は斜め後方に倒されるとともに、コ字状断面に屈曲されている。一方、取付脚２０はばね性の大きいステンレス線材からなり、図示の通り一対の脚部２０ａを有する逆三角形状に屈曲されるとともに、その上辺の凸曲げ部２０ｂを介して支柱１９に結合されている。ここで、図２（Ｂ）において、支柱１９には方形の舌片１９ａが切り起され、この舌片１９ａが凸曲げ部２０ｂを下から受けるとともに、破線で示すように上方に折り曲げられることにより、取付脚２０を支柱１９に把持している。
【００１１】
図３に示すように、支柱１９は左右一対となってワイヤ１４を支持する。ワイヤ１４は、ステンレス線材が細長いトラック状に巻かれて形成され、中央部はナイトカバー８の引っ掛け操作のじゃまにならないように凹曲げされ、かつ図２（Ｂ）に示すように前方にやや張り出されている。このワイヤ１４は、図２（Ｂ）に示すように、支柱１９のコ字状部１９ｂに嵌め込まれて保持される。このように構成されたフロントポップレール１１は、図２（Ｂ）に示すように、取付脚２０が溝１８に嵌め込まれて支持される。
【００１２】
取付脚２０の嵌め込みは、脚部２０ａをフロントキャップ７のＶ曲げ部７ｂ内に挿入しながら全体を押し下げて撓ませ、支柱１９の逆Ｕ曲げ部１９ｃをフロントキャップ７の同じく逆Ｕ曲げ部７ａ内に進入させて行なう。ここで、図２（Ｂ）において、支柱１９の逆Ｕ曲げ部１９ｃには舌片１９ｄが切り起されており、溝１８に嵌め込まれたフロントポップレール１１はこの舌片１９ｄが溝１８の上縁７ｃに突き当たることにより脱落の防止が図られている。フロントポップレール１１の取り外しは、取付脚２０を撓ませながら支柱１９を手前に引くことにより行なう。
【００１３】
【発明の効果】
以上の通り、この発明によれば、フロントキャップ背面側の溝にフロントポップレールを嵌め込み支持させることにより、フロントポップレールの脱着によりフロントキャップに擦り傷が生じたとしても、フロントキャップの背面側なので見栄えが悪くなることがない。その場合、フロントポップレールに折曲げ線材からなる取付脚を設け、この取付脚のスプリングアクションによりフロントポップレールをフロントキャップの溝に嵌め込むことにより、フロントポップレールの着脱が容易になるとともに、フロントキャップの傷つきも少なくなる。一方、フロントキャップの溝の上縁にナイトカバーを引っ掛けるようにすることにより、別部品のナイトカバー引掛け金具が不要となりコストが低減する。
【図面の簡単な説明】
【図１】  この発明の実施の形態を示すオープンショーケースのフロントキャップ部分の縦断面図である。
【図２】  図１のフロントキャップに装着されるフロントポップレールの支持部分を示し、（Ａ）は背面図、（Ｂ）は側面図である。
【図３】  フロントポップレールの全体を示す背面図である。
【図４】  オープンショーケースの概略構成を示す縦断面図である。
【図５】  従来構成を示す図４のＰ部の拡大図である。
【図６】  図５におけるフロントキャップにフロントポップレールを装着した従来例を示す縦断面図である。
【図７】  図５におけるフロントキャップに引掛け金具を介してナイトカバーを引っ掛けた従来例を示す縦断面図である。
【符号の説明】
１    ショーケース本体
１ａ  ショーケース本体前壁
７    フロントキャップ
７ｃ  溝の上縁部
８    ナイトカバー
１１    フロントポップレール
１８    フロントキャップの溝
１９    支柱
２０    取付脚
１４    ワイヤ
【図１】
0003832635.tif 000002
【図２】
0003832635.tif 000003
【図３】
0003832635.tif 000004
【図４】
0003832635.tif 000005
【図５】
0003832635.tif 000006
【図６】
0003832635.tif 000007
【図７】
0003832635.tif 000008